(57)【特許請求の範囲】
【請求項１】
複数の機器を管理する機器管理システムであって、
前記複数の機器の各々の動作を通信によって制御する制御装置と、
前記制御装置と通信可能な表示装置とを備え、
前記制御装置は、
前記複数の機器の各々について制御内容と制御日時とを対応付けた動作スケジュールを記憶するスケジュール記憶部と、
前記動作スケジュールおよび動作切替に関する操作に従って前記複数の機器を制御する制御部と、
前記複数の機器の各々について過去の動作状態を動作日時に対応付けて動作履歴として記憶する動作履歴記憶部とを含み、
前記表示装置は、
前記制御装置から前記動作スケジュールおよび前記動作履歴を取得する情報取得部と、
過去の日時を設定して設定日時とする日時設定部と、
前記複数の機器の各々について前記設定日時での前記動作スケジュールに従ったスケジュール制御による動作状態を推定する推定部と、
前記複数の機器の各々について前記設定日時での実際の動作状態を前記動作履歴から抽出する抽出部と、
前記複数の機器の各々について前記スケジュール制御による動作状態と前記実際の動作状態とを隣接させて表示する表示部とを含む
ことを特徴とする機器管理システム。
【請求項２】
前記表示装置は、可搬型の移動端末であり、
前記複数の機器は、予め決められたエリア内に配置される
ことを特徴とする請求項１記載の機器管理システム。
【請求項３】
前記表示部は、前記複数の機器の各々について前記スケジュール制御による動作状態と前記実際の動作状態とを隣接させてアイコンで表示することを特徴とする請求項２記載の機器管理システム。
【請求項４】
前記表示部は、前記複数の機器の各々について当該機器の位置が示された地図上に前記アイコンを重ね合わせて表示することを特徴とする請求項３記載の機器管理システム。
【請求項５】
前記表示部は、前記スケジュール制御に遅れ時間がある場合、前記遅れ時間に関する経過情報を前記スケジュール制御による動作状態とともに表示することを特徴とする請求項１〜４のいずれか１項に記載の機器管理システム。
【請求項６】
前記表示部は、前記制御日時および前記動作日時の少なくともいずれかの日時を時系列に表示し、
前記日時設定部は、前記時系列の表示部分における日時の指定に応じて前記設定日時を設定する
ことを特徴とする請求項１〜５のいずれか１項に記載の機器管理システム。
【請求項７】
前記日時設定部は、前記制御日時および前記動作日時の少なくともいずれかの日時をインデックスとして前記設定日時を設定することを特徴とする請求項１〜５のいずれか１項に記載の機器管理システム。
【請求項８】
前記表示装置は、前記設定日時に加減する刻み時間を設定する刻み時間設定部を含み、
前記日時設定部は、前記刻み時間設定部で設定された前記刻み時間を前記設定日時に加減した日時を新しい設定日時に設定する
ことを特徴とする請求項１〜５のいずれか１項に記載の機器管理システム。
【請求項９】
前記刻み時間設定部は、前記制御日時の多い期間では前記刻み時間を短くし、前記制御日時の少ない期間では前記刻み時間を長くすることを特徴とする請求項８記載の機器管理システム。
【請求項１０】
前記表示装置は、前記刻み時間の長さをタッチパネルで設定する際に用いられる操作部を含み、
前記刻み時間設定部は、前記操作部への操作に応じて前記刻み時間の長さを設定する
ことを特徴とする請求項８記載の機器管理システム。
【請求項１１】
前記エリアの環境状態を計測するセンサ装置を備え、
前記表示部は、前記センサ装置で計測された環境状態に応じて前記地図上の表示を変化させる
ことを特徴とする請求項４記載の機器管理システム。
【請求項１２】
制御内容と制御日時とを対応付けた動作スケジュールおよび動作切替に関する操作に従って複数の機器の各々の動作を通信によって制御するとともに前記複数の機器の各々について過去の動作状態を動作日時に対応付けて動作履歴として記憶する制御装置に対して通信可能な表示装置であって、
前記制御装置から前記動作スケジュールおよび前記動作履歴を取得する情報取得部と、
過去の日時を設定して設定日時とする日時設定部と、
前記複数の機器の各々について前記設定日時での前記動作スケジュールに従ったスケジュール制御による動作状態を推定する推定部と、
前記複数の機器の各々について前記設定日時での実際の動作状態を前記動作履歴から抽出する抽出部と、
前記複数の機器の各々について、前記スケジュール制御による動作状態と前記実際の動作状態とを隣接させて表示する表示部と
を備えることを特徴とする表示装置。
【請求項１３】
制御内容と制御日時とを対応付けた動作スケジュールおよび動作切替に関する操作に従って複数の機器の各々の動作を通信によって制御するとともに前記複数の機器の各々について過去の動作状態を動作日時に対応付けて動作履歴として記憶する制御装置に対して通信可能なコンピュータを、
前記制御装置から前記動作スケジュールおよび前記動作履歴を取得する情報取得手段、
過去の日時を設定して設定日時とする日時設定手段、
前記複数の機器の各々について前記設定日時での前記動作スケジュールに従ったスケジュール制御による動作状態を推定する推定手段、
前記複数の機器の各々について前記設定日時での実際の動作状態を前記動作履歴から抽出する抽出手段、および、
前記複数の機器の各々について、前記スケジュール制御による動作状態と前記実際の動作状態とを隣接させて表示する表示手段
として機能させるためのプログラム。
【発明の詳細な説明】
【技術分野】
【０００１】
本発明は、複数の機器を管理する機器管理システム、複数の機器を制御する制御装置と通信可能な表示装置、および、複数の機器を制御する制御装置と通信可能なコンピュータに用いられるプログラムに関する。
【背景技術】
【０００２】
近年、温暖化に伴って省エネルギーの社会的要求が向上している。現在の省エネルギー法は、民生部門に対して、機器単体の性能を向上させるだけではなく、例えばＢＥＭＳ（Building Energy Management System）などを利用した管理面での省エネルギー化を図ることを要求している。管理面での省エネルギー手法としては、機器の制御内容と制御日時とを対応付けた動作スケジュールを改善することが知られている。
【０００３】
特許文献１には、複数の設備機器を制御するとともに監視する設備機器管理システムが開示されている。特許文献１に記載された設備機器管理システムは、各設備機器を制御するとともに監視するステーションと、ステーションに接続される情報端末とを備えている。特許文献１に記載された設備機器管理システムでは、ステーションが各設備機器の監視・制御の結果を情報端末に通知し、情報端末が各設備機器の監視・制御の結果を表示する。また、特許文献１に記載された情報端末は、各設備機器の動作スケジュールを表示する機能を有している。
【先行技術文献】
【特許文献】
【０００４】
【特許文献１】特開２００３−３０３２２８号公報
【発明の概要】
【発明が解決しようとする課題】
【０００５】
しかしながら、特許文献１に記載された情報端末は、各設備機器の監視・制御の結果と、各設備機器の動作スケジュールとを個別に表示することはできるが、同時に表示することはできなかった。このため、ユーザは、過去の所定日時での各設備機器の動作スケジュールに従った制御（以下「スケジュール制御」という）と実際の動作状態との違いを容易に把握することができず、その結果、以下の省エネルギー分析を行う際に手間がかかる。省エネルギー分析とは、スケジュール制御による動作状態と実際の動作状態とを比較することによって、各機器の不要なオン状態を判断したり、想定した省エネルギー効果と実際の省エネルギー効果との間に乖離がある場合に原因を解明したりすることである。
【０００６】
本発明は上記の点に鑑みて為され、本発明の目的は、過去の所定日時での動作スケジュールに従ったスケジュール制御による動作状態と実際の動作状態との違いをユーザに容易に把握させることができる機器管理システム、表示装置およびプログラムを提供することにある。
【課題を解決するための手段】
【０００７】
本発明の機器管理システムは、複数の機器を管理する機器管理システムであって、前記複数の機器の各々の動作を通信によって制御する制御装置と、前記制御装置と通信可能な表示装置とを備え、前記制御装置は、前記複数の機器の各々について制御内容と制御日時とを対応付けた動作スケジュールを記憶するスケジュール記憶部と、前記動作スケジュールおよび動作切替に関する操作に従って前記複数の機器を制御する制御部と、前記複数の機器の各々について過去の動作状態を動作日時に対応付けて動作履歴として記憶する動作履歴記憶部とを含み、前記表示装置は、前記制御装置から前記動作スケジュールおよび前記動作履歴を取得する情報取得部と、過去の日時を設定して設定日時とする日時設定部と、前記複数の機器の各々について前記設定日時での前記動作スケジュールに従ったスケジュール制御による動作状態を推定する推定部と、前記複数の機器の各々について前記設定日時での実際の動作状態を前記動作履歴から抽出する抽出部と、前記複数の機器の各々について前記スケジュール制御による動作状態と前記実際の動作状態とを隣接させて表示する表示部とを含むことを特徴とする。
【０００８】
この機器管理システムにおいて、前記表示装置は、可搬型の移動端末であり、前記複数の機器は、予め決められたエリア内に配置されることが好ましい。
【０００９】
この機器管理システムにおいて、前記表示部は、前記複数の機器の各々について前記スケジュール制御による動作状態と前記実際の動作状態とを隣接させてアイコンで表示することが好ましい。
【００１０】
この機器管理システムにおいて、前記表示部は、前記複数の機器の各々について当該機器の位置が示された地図上に前記アイコンを重ね合わせて表示することが好ましい。
【００１１】
この機器管理システムにおいて、前記表示部は、前記スケジュール制御に遅れ時間がある場合、前記遅れ時間に関する経過情報を前記スケジュール制御による動作状態とともに表示することが好ましい。
【００１２】
この機器管理システムにおいて、前記表示部は、前記制御日時および前記動作日時の少なくともいずれかの日時を時系列に表示し、前記日時設定部は、前記時系列の表示部分における日時の指定に応じて前記設定日時を設定することが好ましい。
【００１３】
この機器管理システムにおいて、前記日時設定部は、前記制御日時および前記動作日時の少なくともいずれかの日時をインデックスとして前記設定日時を設定することが好ましい。
【００１４】
この機器管理システムにおいて、前記表示装置は、前記設定日時に加減する刻み時間を設定する刻み時間設定部を含み、前記日時設定部は、前記刻み時間設定部で設定された前記刻み時間を前記設定日時に加減した日時を新しい設定日時に設定することが好ましい。
【００１５】
この機器管理システムにおいて、前記刻み時間設定部は、前記制御日時の多い期間では前記刻み時間を短くし、前記制御日時の少ない期間では前記刻み時間を長くすることが好ましい。
【００１６】
この機器管理システムにおいて、前記表示装置は、前記刻み時間の長さをタッチパネルで設定する際に用いられる操作部を含み、前記刻み時間設定部は、前記操作部への操作に応じて前記刻み時間の長さを設定することが好ましい。
【００１７】
この機器管理システムにおいて、前記エリアの環境状態を計測するセンサ装置を備え、前記表示部は、前記センサ装置で計測された環境状態に応じて前記地図上の表示を変化させることが好ましい。
【００１８】
本発明の表示装置は、制御内容と制御日時とを対応付けた動作スケジュールおよび動作切替に関する操作に従って複数の機器の各々の動作を通信によって制御するとともに前記複数の機器の各々について過去の動作状態を動作日時に対応付けて動作履歴として記憶する制御装置に対して通信可能な表示装置であって、前記制御装置から前記動作スケジュールおよび前記動作履歴を取得する情報取得部と、過去の日時を設定して設定日時とする日時設定部と、前記複数の機器の各々について前記設定日時での前記動作スケジュールに従ったスケジュール制御による動作状態を推定する推定部と、前記複数の機器の各々について前記設定日時での実際の動作状態を前記動作履歴から抽出する抽出部と、前記複数の機器の各々について、前記スケジュール制御による動作状態と前記実際の動作状態とを隣接させて表示する表示部とを備えることを特徴とする。
【００１９】
本発明のプログラムは、制御内容と制御日時とを対応付けた動作スケジュールおよび動作切替に関する操作に従って複数の機器の各々の動作を通信によって制御するとともに前記複数の機器の各々について過去の動作状態を動作日時に対応付けて動作履歴として記憶する制御装置に対して通信可能なコンピュータを、前記制御装置から前記動作スケジュールおよび前記動作履歴を取得する情報取得手段、過去の日時を設定して設定日時とする日時設定手段、前記複数の機器の各々について前記設定日時での前記動作スケジュールに従ったスケジュール制御による動作状態を推定する推定手段、前記複数の機器の各々について前記設定日時での実際の動作状態を前記動作履歴から抽出する抽出手段、および、前記複数の機器の各々について、前記スケジュール制御による動作状態と前記実際の動作状態とを隣接させて表示する表示手段として機能させるためのプログラムである。
【発明の効果】
【００２０】
本発明は、設定日時におけるスケジュール制御による動作状態と実際の動作状態とを機器ごとに隣接して表示する。これにより、本発明では、ユーザに対して、設定日時での実際の動作状態とスケジュール制御の動作状態とを比較させやすくし、設定日時での実際の動作状態とスケジュール制御の動作状態との違いを把握させることができる。
【図面の簡単な説明】
【００２１】
【図１】実施形態に係る機器管理システムの構成を示すブロック図である。
【図２】複数の機器およびセンサ装置が配置されているエリアの平面図である。
【図３】同上に係る機器管理システムで用いられる動作スケジュールを示す図である。
【図４】同上に係る機器管理システムで用いられる動作履歴を示す図である。
【図５】同上に係る機器管理システムで用いられる位置情報を示す図である。
【図６】同上に係る表示装置の表示画面を示す図である。
【図７】同上に係る表示装置の他の表示画面を示す図である。
【図８】同上に係る機器管理システムで用いられるセンサ履歴を示す図である。
【図９】同上に係る機器管理システムで用いられる環境情報の閾値を示す図である。
【発明を実施するための形態】
【００２２】
以下の実施形態では、複数の機器を管理する機器管理システムについて説明する。本実施形態では、機器の動作状態を監視することと機器の動作を制御することとを総称して機器の「管理」と呼ぶ。したがって、機器の管理は、機器の監視と制御との少なくとも一方を意味する。
【００２３】
本実施形態に係る機器管理システム１は、図１に示すように、複数の機器８，８，８，……の各々の動作を通信によって制御する制御装置２と、制御装置２と通信可能な表示装置３とを備えている。各機器８は、予め決められたエリア７内に配置されている。
【００２４】
各機器８が配置されているエリア７は、例えば図２に示すような食品スーパーマーケットなどである。図２に示すエリア７には、肉売場７１と鮮魚売場７２と乾物売場７３と野菜売場７４とパン売場７５とレジ７６とロビー７７と事務所７８とが設けられている。なお、各機器８が配置されているエリア７は上記に限定されず、他の場所であってもよい。
【００２５】
各機器８は、例えばエリア７の照明環境またはエリア７の空調環境などを調整する機器である。つまり、各機器８は、例えばエリア７内の明るさを調整する照明機器、エリア７内の気温を調整する空調機器、冷凍食品などのための冷凍機、または冷蔵機などである。複数の機器８，８，８，……は、異種（例えば照明機器、空調機器、冷凍機および冷蔵機のうちの少なくとも２つ）の組み合わせであってもよいし、全て同種（例えば照明機器、空調機器、冷凍機または冷蔵機のいずれか）であってもよい。
【００２６】
次に、制御装置２について説明する。制御装置２は、ＣＰＵ（Central Processing Unit：中央処理装置）およびメモリが搭載されたコンピュータを主構成要素とし、各機器８の動作を指示したり、各機器８の動作状態に関する情報を収集したりする。制御装置２は、図１に示すように、第１の装置側通信部２１と、計時部２２と、日時情報取得部２３と、制御部２４と、装置側記憶部２５と、第２の装置側通信部２６とを備え、各機器８が配置されているエリア７とは異なる場所に設置されている。
【００２７】
第１の装置側通信部２１は、制御装置２と各機器８とが通信するための通信インタフェースである。制御装置２と各機器８との間の通信は、例えば時分割多重伝送、Ｅｔｈｅｒｎｅｔ（登録商標）またはＲＳ−２３２Ｃなどのような有線通信であってもよいし、例えばＺｉｇＢｅｅ（登録商標）などのような無線通信であってもよい。
【００２８】
日時情報取得部２３は、現在日時に関する日時情報を計時部２２から取得する。計時部２２は、例えばリアルタイムクロック（ＲＴＣ：Real Time Clock）などであり、現在日時を計時する。計時部２２で計時される現在日時は、日付（年・月・日）と時刻（時・分・秒）との組み合わせである。
【００２９】
制御部２４は、装置側記憶部２５に記憶されている動作スケジュール４１に従って各機器８を制御する。制御部２４は、日時情報取得部２３で取得された日時情報を定期的に参照し、日時情報の現在日時と動作スケジュール４１に含まれる制御日時とが一致した場合に、制御対象となる機器８に制御信号を出力する。制御信号には、機器８の制御内容（オン・オフ）に関する情報が含まれている。
【００３０】
また、制御部２４は、例えば機器８の動作を切り替える切替スイッチ（図示せず）が操作された場合に、動作スケジュール４１よりも優先して、切替スイッチへの操作に従って機器８を制御する。
【００３１】
制御部２４は、上記のように各機器８を制御する機能のほかにも、第１の装置側通信部２１を用いて、各機器８の動作状態を定期的に監視する機能を有している。各機器８の動作状態は、装置側記憶部２５に記憶される。
【００３２】
装置側記憶部２５は、動作スケジュール４１を記憶するスケジュール記憶部２５１と、各機器８の動作状態を記憶する動作履歴記憶部２５２とを備えている。
【００３３】
スケジュール記憶部２５１は、図３に示すような動作スケジュール４１を記憶する。動作スケジュール４１は、各機器８について制御内容と制御日時とを対応付けている。つまり、動作スケジュール４１は、「いつ」・「どの機器８に対し」・「どのような制御を行うか」を対応付けている。動作スケジュール４１は、図３の例のように毎日の制御内容が同じである場合、制御日時として制御時刻（時・分・秒）のみであってもよい。
【００３４】
動作履歴記憶部２５２は、図４に示すように、各機器８の過去の動作状態を動作日時に対応付けて動作履歴４２として記憶する。各機器８の動作状態は、上述したように制御部２４によって定期的に監視される。動作履歴記憶部２５２は、機器８ごとに全ての動作日時の動作状態を記憶してもよいし、機器８ごとに動作状態が変化した時点のみを記憶してもよい。つまり、動作履歴記憶部２５２は、少なくとも「どの機器８が」・「いつ」・「どのように動作状態が変化したのか」ということがわかるような情報を記憶しておけばよい。
【００３５】
また、装置側記憶部２５は、地図情報と、図５に示すような位置情報４３とを記憶している。地図情報は、各機器８が配置されているエリア７の地図情報である。位置情報４３は、各機器８の位置を表わす情報である。
【００３６】
第２の装置側通信部２６は、制御装置２と表示装置３とが通信するための通信インタフェースであり、表示装置３と情報の授受を行う。具体的には、第２の装置側通信部２６は、装置側記憶部２５に記憶されている情報を表示装置３へ送信する。制御装置２と表示装置３との間の通信は、例えば有線ＬＡＮ（Local Area Network）または無線ＬＡＮなどを用いたＩＰ通信であってもよいし、制御装置２に表示装置３が直接設置されるような専用線を用いた通信であってもよい。
【００３７】
次に、表示装置３について説明する。表示装置３は、例えばタブレットパーソナルコンピュータなどのような可搬型（ポータブル型）の移動端末であり、ＣＰＵおよびメモリが搭載されている。表示装置３は、表示部３１と、操作部３２と、端末側通信部３３と、情報取得部３４と、端末側記憶部３５と、日時設定部３６と、推定部３７と、抽出部３８とを備えている。
【００３８】
表示部３１は、例えば液晶ディスプレイまたは有機ＥＬ（Electro-Luminescence）ディスプレイなどであり、各種の情報を表示する。詳細については後述する。
【００３９】
操作部３２は、ユーザが表示装置３へ情報を入力する際に用いられる。操作部３２には、タッチパネルによって操作情報が入力される。操作情報としては、例えば設定日時（指定日時）・「次の動作履歴変化点／前の動作履歴変化点」・「次のスケジュール制御点／前のスケジュール制御点」などのような日時設定に関する操作情報がある。
【００４０】
端末側通信部３３は、制御装置２と表示装置３とが通信するための通信インタフェースであり、制御装置２と情報の授受を行う。具体的には、端末側通信部３３は、情報取得部３４が取得しようとする情報を通信によって制御装置２から受け取る。
【００４１】
情報取得部３４は、制御装置２から動作スケジュール４１と動作履歴４２と地図情報と位置情報４３とを取得する。情報取得部３４は、必要な情報を制御装置２から随時読み込んでもよいし、全ての情報を制御装置２から一度に読み込んでもよい。
【００４２】
端末側記憶部３５は、情報取得部３４で取得された情報を記憶する。つまり、端末側記憶部３５には、動作スケジュール４１と動作履歴４２と地図情報と位置情報４３とが記憶されている。
【００４３】
日時設定部３６は、日時設定に関する操作情報が操作部３２に入力された場合、上記操作情報の指定日時を設定日時として設定する。
【００４４】
推定部３７は、各機器８について、日時設定部３６で設定された設定日時に対応付けられた制御内容を端末側記憶部３５の動作スケジュール４１から抽出してスケジュール制御（動作スケジュール４１に従った制御）による動作状態を推定する。
【００４５】
抽出部３８は、各機器８について、日時設定部３６で設定された設定日時での実際の動作状態を動作履歴４２から抽出する。
【００４６】
表示部３１は、各機器８の位置を地図上にアイコン６１で表示するために、端末側記憶部３５に記憶されている地図情報と位置情報４３とを読み込む。各種の情報を受け取った表示部３１は、図６に示すように、画面中央部に、機器８ごとに設定日時でのスケジュール制御による動作状態と実際の動作状態とを隣接させてアイコン６１で表示する。本実施形態では、表示部３１は、各機器８の位置が示された地図上にアイコン６１を重ね合わせて表示する。各アイコン６１は、外枠がスケジュール制御による動作状態であり、内側が機器８の実際の動作状態であり、動作状態に応じて異なる形態となっている。表示部３１は、画面上部に設定日時（図６の符号「６５」）を表示する。
【００４７】
表示部３１は、日時設定部３６で設定日時が変わった場合、新しい設定日時に対応する情報を受け取り、新しい設定日時でのスケジュール制御による動作状態と実際の動作状態とを隣接させてアイコン６１で表示する。
【００４８】
ところで、表示部３１は、動作スケジュール４１に含まれる制御日時と、動作履歴４２に含まれる動作日時とを時系列に画面下部に表示する。制御日時はスライダー６６１の下側の矢印で表わされ（図６の符号「６６２」）、動作日時はスライダー６６１の上側の矢印で表わされている（図６の符号「６６３」）。
【００４９】
日時設定部３６は、時系列の表示部分における日時の指定に応じて設定日時を設定する。図６の例では、ユーザがスライダー６６１（ここではタッチパネルを前提とする）を操作することによって、日時設定部３６は設定日時を設定する。また、制御日時と動作日時とがスライダー６６１の上下に矢印６６２，６６３で表示されているから、ユーザはこの矢印６６２，６６３を目安に設定日時を決定することができる。
【００５０】
また、日時設定部３６は、動作スケジュール４１に含まれる制御日時をインデックスとして設定日時を設定することができる。図６に示すように、画面下部には、現在設定されている設定日時以前の制御日時を選択するための第１のアイコン６２１と、現在設定されている設定日時以後の制御日時を選択するための第２のアイコン６２２とが表示されている。ユーザが第１のアイコン６２１をｎ１（ｎ１＝１，２，……）回フリックすると、日時設定部３６は、設定日時以前であって設定日時からｎ１番目に離れている制御日時を新しい設定日時に設定する。例えば、ユーザが第１のアイコン６２１を１回フリックすると、日時設定部３６は、設定日時直前の制御日時を新しい設定日時に設定する。ユーザが第１のアイコン６２１を２回フリックすると、日時設定部３６は、設定日時以前であって設定日時から２番目に離れている制御日時を新しい設定日時に設定する。ユーザが第２のアイコン６２２をｎ２（ｎ２＝１，２，……）回フリックすると、日時設定部３６は、設定日時以後であって設定日時からｎ２番目に離れている制御日時を新しい設定日時に設定する。例えば、ユーザが第２のアイコン６２２を１回フリックすると、日時設定部３６は、設定日時直後の制御日時を新しい設定日時に設定する。ユーザが第２のアイコン６２２を２回フリックすると、日時設定部３６は、設定日時以後であって設定日時から２番目に離れている制御日時を新しい設定日時に設定する。
【００５１】
さらに、動作履歴４２に含まれる動作日時をインデックスとして設定日時を設定することができる。図６に示すように、画面下部には、現在設定されている設定日時以前の動作日時を選択するための第３のアイコン６２３と、現在設定されている設定日時以後の動作日時を選択するための第４のアイコン６２４とが表示されている。ユーザが第３のアイコン６２３をｎ３（ｎ３＝１，２，……）回フリックすると、日時設定部３６は、設定日時以前であって設定日時からｎ３番目に離れている動作日時を新しい設定日時に設定する。例えば、ユーザが第３のアイコン６２３を１回フリックすると、日時設定部３６は、設定日時直前の動作日時を新しい設定日時に設定する。ユーザが第３のアイコン６２３を２回フリックすると、日時設定部３６は、設定日時以前であって設定日時から２番目に離れている動作日時を新しい設定日時に設定する。ユーザが第４のアイコン６２４をｎ４（ｎ４＝１，２，……）回フリックすると、日時設定部３６は、設定日時以後であって設定日時からｎ４番目に離れている動作日時を新しい設定日時に設定する。例えば、ユーザが第４のアイコン６２４を１回フリックすると、日時設定部３６は、設定日時直後の動作日時を新しい設定日時に設定する。ユーザが第４のアイコン６２４を２回フリックすると、日時設定部３６は、設定日時以後であって設定日時から２番目に離れている動作日時を新しい設定日時に設定する。
【００５２】
ところで、表示装置３は、図１に示すように、設定日時に加減する刻み時間を設定する刻み時間設定部３９をさらに備えている。
【００５３】
刻み時間設定部３９は、操作部３２のタッチパネルへの操作に応じて刻み時間を設定する。刻み時間とは、日時設定部３６で設定された設定日時に加減する時間をいう。
【００５４】
日時設定部３６は、刻み時間設定部３９で設定された刻み時間を設定日時に加減した日時を新しい設定日時とする。例えば、設定日時が「１０：００」であって刻み時間が「２分」である場合、日時設定部３６は、設定日時「１０：００」での動作状態が表示部３１に表示されてから１秒後に、設定日時「１０：００」に刻み時間「２分」を加算した日時「１０：０２」を新しい設定日時に設定する。表示部３１は、新しい設定日時「１０：０２」での動作状態を表示する。さらに、１秒後、日時設定部３６は、設定日時「１０：０２」に刻み時間「２分」を加算した日時「１０：０４」を新しい設定日時に設定し、表示部３１は、新しい設定日時「１０：０４」での動作状態を表示する。日時設定部３６および表示部３１は、上記の動作を繰り返す。
【００５５】
図６に示すように、画面下部には、ボタン状のアイコン６３が表示されている。ユーザがアイコン６３を操作することによって、刻み時間設定部３９は、刻み時間の長さを変更する。これにより、表示部３１は、過去の動作状態を欠落させずに表示することができる。
【００５６】
また、タッチパネル画面（表示画面）へのユーザのタッチ操作がフリックである場合、フリック操作の位置によって設定日時の変更が異なる。例えば、右フリックによって現在の設定日時から１分後の日時の動作状態が表示される場合、ユーザの右フリック操作によって、日時設定部３６は、右フリック入力情報を受け取り、現在の設定日時に刻み時間「１分」を加算した日時を新しい設定日時に設定する。画面中央部には新しい設定日時（１分後の日時）の動作状態が表示される。逆に、左フリックの場合、ユーザの左フリック操作によって、日時設定部３６は、左フリック入力情報を受け取り、現在の設定日時に刻み時間「１分」を減算した日時を新しい設定日時に設定する。画面中央部には新しい設定日時（１分前の日時）の動作状態が表示される。一方、下フリックの場合、現在の設定日時から例えば１日前の動作状態が表示され、上フリックの場合、現在の設定日時から１日後の動作状態が表示される。これにより、刻み時間設定部３９は、ユーザの要望にあわせて、刻み時間の長さを変えることができる。
【００５７】
ところで、刻み時間設定部３９は、操作部３２への操作に応じて刻み時間の長さを設定する機能だけではなく、スケジュール制御の多い期間では刻み時間を短くし、スケジュール制御の少ない期間では刻み時間を長くする機能も有している。具体的には、刻み時間設定部３９は、制御日時の間隔を算出し、制御日時の間隔が短い場合に刻み時間を短く設定し、制御日時の間隔が長い場合に刻み時間を長く設定する。つまり、刻み時間は、スケジュール制御がスキップされないように設定される。
【００５８】
なお、刻み時間設定部３９は、スケジュール制御ではなく、動作日時の多い期間では刻み時間を短くし、動作日時の少ない期間では刻み時間を長くしてもよい。刻み時間は、実際の動作状態がスキップされないように設定される。
【００５９】
また、表示部３１は、スケジュール制御に遅れ時間がある場合、遅れ時間に関する経過情報をスケジュール制御による動作状態とともに表示する。例えば、図７の「事務室」で示すように、スケジュール制御によってオフ制御後、５分後に機器８がオフ状態になるような「遅れ点灯」の場合、表示部３１は、アイコン６１とともに経過時間６４を表示する。これにより、対象となる機器８がスケジュール制御されたのか、ユーザによる消し忘れかを判断することができる。
【００６０】
ところで、機器管理システム１は、図１に示すように、各々がエリア７（図２参照）の環境状態を計測する複数（図示例では２台）のセンサ装置５，５を備え、制御装置２は、各センサ装置５からセンサ情報を取得するセンサ情報取得部２７を備えている。本実施形態におけるエリア７の環境状態としては、例えばエリア７の明るさまたはエリア７の温度などがある。エリア７の明るさとは、エリア７の照度または輝度などである。
【００６１】
各センサ装置５は、例えばエリア７の明るさを計測する明るさセンサまたはエリア７の温度を計測する温度センサなどであり、エリア７に配置されている。明るさセンサとしては、例えば照度センサまたは輝度センサなどがある。複数のセンサ装置５，５は、異種（例えば明るさセンサおよび温度センサの少なくとも２つ）の組み合わせ（例えば明るさセンサおよび温度センサの組み合わせ）であってもよいし、全て同種（例えば明るさセンサまたは温度センサのいずれか）であってもよい。
【００６２】
センサ情報取得部２７は、各センサ装置５からセンサ情報を取得する。センサ情報とは、センサ装置５の計測結果に関する情報である。センサ情報取得部２７で取得されたセンサ情報は、順次、装置側記憶部２５の動作履歴記憶部２５２に記憶される。つまり、動作履歴記憶部２５２には、図８に示すように、センサ情報の履歴であるセンサ履歴４４が記憶されている。
【００６３】
図１に示す表示装置３において、情報取得部３４は、制御装置２からセンサ履歴４４を取得し、端末側記憶部３５は、情報取得部３４で取得されたセンサ履歴４４を記憶する。
【００６４】
表示部３１は、設定日時におけるセンサ情報に含まれている環境状態に応じて、地図上におけるエリア７の表示を変化させることによって、設定日時におけるエリア７の環境状態を表示する。例えば、表示部３１は、図７に示すように、地図上の「パン売場」について、「冷やし過ぎ」という意味で通常とは異なる形態で表示する。表示部３１は、設定日時でのセンサ情報が閾値より低い場合に、対応する小エリアを「冷やし過ぎ」として通常とは異なる形態で表示する。一方、センサ情報が閾値より高い場合、表示部３１は、対応する小エリアを「暖め過ぎ」として通常とは異なる形態で表示する。閾値は、図９に示すような環境情報の閾値４５であり、装置側記憶部２５および端末側記憶部３５に記憶されている。
【００６５】
なお、制御装置２の装置側記憶部２５には、制御装置２が各種の機能を実行するためのプログラムが格納されている。つまり、装置側記憶部２５には、制御装置（コンピュータ）２を、第１の装置側通信部２１、計時部２２、日時情報取得部２３、制御部２４、装置側記憶部２５、第２の装置側通信部２６およびセンサ情報取得部２７として機能させるためのプログラムが格納されている。
【００６６】
上記プログラムは、制御装置２の出荷時に装置側記憶部２５に予め記憶される。ただし、制御装置２が上記プログラムを出荷後に搭載する場合、制御装置２が上記プログラムを搭載する手法の一例としては、上記プログラムを記録したコンピュータ読み取り可能な記録媒体を用いる手法がある。記録媒体は、例えばメモリカード、ＣＤ−ＲＯＭまたはＤＶＤ−ＲＯＭなどである。記録媒体を用いる場合、制御装置２は、記録媒体のデータを読み取るためのドライブ装置（図示せず）を備えていればよい。また、他の手法としては、ネットワークを用いて上記プログラムをサーバからダウンロードする手法がある。ネットワークを介して上記プログラムをダウンロードする場合、制御装置２は、ネットワークを用いてサーバと通信するための通信機能（図示せず）を有していればよい。
【００６７】
また、表示装置３の端末側記憶部３５には、表示装置３が各種の機能を実行するためのプログラムが格納されている。つまり、端末側記憶部３５には、表示装置（コンピュータ）３を、表示部３１、操作部３２、端末側通信部３３、情報取得部３４、端末側記憶部３５、日時設定部３６、推定部３７および抽出部３８として機能させるためのプログラムが格納されている。
【００６８】
上記プログラムは、表示装置３の出荷時に端末側記憶部３５に予め記憶される。ただし、表示装置３が上記プログラムを出荷後に搭載する場合、表示装置３が上記プログラムを搭載する手法の一例としては、上記プログラムを記録したコンピュータ読み取り可能な記録媒体を用いる手法がある。記録媒体は、例えばメモリカード、ＣＤ−ＲＯＭまたはＤＶＤ−ＲＯＭなどである。記録媒体を用いる場合、表示装置３は、記録媒体のデータを読み取るためのドライブ装置（図示せず）を備えていればよい。また、他の手法としては、ネットワークを用いて上記プログラムをサーバからダウンロードする手法がある。ネットワークを介して上記プログラムをダウンロードする場合、表示装置３は、ネットワークを用いてサーバと通信するための通信機能（図示せず）を有していればよい。
【００６９】
以上の説明より、本実施形態の機器管理システム１では、設定日時でのスケジュール制御による動作状態（動作スケジュール４１から推定された動作状態）と実際の動作状態とを機器８ごとに隣接して表示装置３が表示する。これにより、本実施形態では、ユーザに対して、設定日時でのスケジュール制御の動作状態と実際の動作状態とを比較させやすくし、設定日時でのスケジュール制御の動作状態と実際の動作状態との違いを把握させやすくすることができる。その結果、省エネルギー提案のための分析を行いやすくすることができる。
【００７０】
また、本実施形態の機器管理システム１は、スケジュール制御による動作状態と実際の動作状態とを隣接させてアイコン６１で表示する。これにより、本実施形態では、スケジュール制御による動作状態および実際の動作状態を文字で表示する場合よりも、現場での分析を容易に行うことができる。
【００７１】
さらに、本実施形態によれば、表示装置３が地図上の各機器８の位置にアイコン６１を重ね合わせて表示することによって、現場での分析をさらに容易に行うことができる。
【００７２】
また、本実施形態によれば、各機器８が予め決められたエリア７内に配置され、表示装置３が可搬型の移動端末であることによって、ユーザは、現場の状況を確認しながら、エリア７内の各機器８の動作状態を把握することができる。これにより、例えば動作スケジュール４１を容易に調整することができる。
【００７３】
さらに、本実施形態によれば、表示装置３の日時設定部３６が制御日時および動作日時の少なくともいずれかの時系列の表示部分における日時の指定に応じて設定日時を設定することによって、実際に制御された設定日時の近傍の時間を容易に設定することができる。
【００７４】
また、本実施形態の機器管理システム１によれば、日時設定部３６が制御日時および動作日時の少なくともいずれかの日時をインデックスとして設定日時を設定することによって、実際に制御された設定日時まで変更させることができる。
【００７５】
さらに、本実施形態によれば、表示装置３の日時設定部３６が設定日時に刻み時間を加減して新しい設定日時を設定していくことによって、表示部３１が複数の設定日時での実際の動作状態を連続して再現することができる。
【００７６】
この際に、表示装置３では、制御日時の多い期間では刻み時間を短くし、制御日時の少ない期間では刻み時間を長くすることができる。これにより、スケジュール制御が多い期間をゆっくりと再現し、スケジュール制御の少ない期間を高速で再現することができるので、動作状態の変化が多い期間を自動的に強調して再現することができる。
【００７７】
また、本実施形態では、操作部３２のタッチパネルへの操作に応じて刻み時間の長さを設定することができるので、ユーザが例えばフリック操作で刻み時間の長さを指定することができ、直感的に早送りを行ったり、巻き戻しを行ったりすることができる。
【００７８】
本実施形態では、表示装置３の表示部３１がエリア７内の環境状態に応じて地図上の表示を変化させることによって、ユーザがエリア７内の環境状態を含めて省エネルギーのための分析を行うことができる。
【００７９】
なお、本実施形態では、表示装置３側の地図情報および位置情報４３を制御装置２から取得した場合について説明したが、本実施形態の変形例として、表示装置３側の地図情報および位置情報４３を制御装置２とは関係なく別の手段で設定してもよい。
【符号の説明】
【００８０】
１  機器管理システム
２  制御装置
２４  制御部
２５１  スケジュール記憶部
２５２  動作履歴記憶部
２７  センサ情報取得部
３  表示装置
３１  表示部
３２  操作部
３４  情報取得部
３６  日時設定部
３７  推定部
３８  抽出部
４１  動作スケジュール
４２  動作履歴
５  センサ装置
８  機器
【図１】
0005760178.tif 000002
【図２】
0005760178.tif 000003
【図３】
0005760178.tif 000004
【図４】
0005760178.tif 000005
【図５】
0005760178.tif 000006
【図６】
0005760178.tif 000007
【図７】
0005760178.tif 000008
【図８】
0005760178.tif 000009
【図９】
0005760178.tif 000010